(57)【要約】【課題】ユーザが着信を受けていることを認識しやすく、且つ、発信者を特定しやすい通信装置を実現する。【解決手段】着信を受け付けるＣＩ信号取得部（１１）と、出力部（３０）と、ＣＩ信号取得部（１１）が着信を受け付けた場合に、着信音に重畳して、当該着信の発信元からの着信履歴に関するメッセージを出力するよう出力部（３０）を制御する出力制御部（１２）とを備えている。【選択図】図１
2018182668.tif 000002
【特許請求の範囲】
【請求項１】
着信を受け付ける受信部と、
出力部と、
上記受信部が着信を受け付けた場合に、着信音に重畳して、当該着信の発信元からの着信履歴に関するメッセージを出力するよう上記出力部を制御する制御部と
を備えていることを特徴とする通信装置。
【請求項２】
上記制御部は、
上記着信音の音量を低減し、
音量低減後の着信音に重畳して、上記メッセージを出力するよう上記出力部を制御する
ことを特徴とする請求項１に記載の通信装置。
【請求項３】
上記制御部は、
上記着信の発信元から受け付けた過去の不在着信の件数を特定し、当該件数を示す情報を上記メッセージに含める
ことを特徴とする請求項１又は２に記載の通信装置。
【請求項４】
上記制御部は、
上記着信の発信元から受け付けた過去の着信の着信日時を参照し、当該着信日時に応じた情報を上記メッセージに含める
ことを特徴とする請求項１から３の何れか１項に記載の通信装置。
【請求項５】
上記制御部は、
上記着信の発信元から受け付けた過去の不在着信の着信日時と現在日時との差分が所定の時間間隔より短い場合に、急ぎの電話である旨の情報を上記メッセージに含める
ことを特徴とする請求項４に記載の通信装置。
【請求項６】
上記制御部は、
上記着信の発信元から受け付けた過去の着信の着信日に関する情報を上記メッセージに含める
ことを特徴とする請求項４に記載の通信装置。
【請求項７】
上記制御部は、
上記着信の発信元から受け付けた過去の着信の着信日時と現在日時との差分が所定の時間間隔以上である場合に、久しぶりの電話である旨の情報を上記メッセージに含める
ことを特徴とする請求項４に記載の通信装置。
【請求項８】
上記制御部は、
上記着信の発信元の所属に関する情報を参照し、当該所属に応じた情報を上記メッセージに含める
ことを特徴とする請求項１から７の何れか１項に記載の通信装置。
【請求項９】
上記制御部は、
ユーザのスケジュールデータを参照し、
上記ユーザのスケジュールデータに、上記着信の発信元を示す情報が含まれていた場合、当該発信元に関連付けられたスケジュールに関する情報を、上記メッセージに含める
ことを特徴とする請求項１から８の何れか１項に記載の通信装置。
【請求項１０】
上記制御部は、
上記着信の発信元の電話番号を参照して当該発信元の地域を特定し、特定した地域に関する情報を上記メッセージに含める
ことを特徴とする請求項１から９の何れか１項に記載の通信装置。
【請求項１１】
着信を受け付ける受信部と、出力部と、を備えた通信装置の制御方法であって、
上記受信部が着信を受け付けた場合に、着信音に重畳して、当該着信の発信元からの着信履歴に関するメッセージを出力する出力ステップを含んでいる
ことを特徴とする制御方法。
【請求項１２】
請求項１に記載の通信装置としてコンピュータを機能させるためのプログラムであって、上記制御部としてコンピュータを機能させるためのプログラム。
【請求項１３】
請求項１２に記載のプログラムを記録したコンピュータ読み取り可能な記録媒体。
【発明の詳細な説明】
【技術分野】
【０００１】
本発明は、着信を受ける通信装置、通信装置の制御方法、通信装置としてコンピュータを機能させるためのプログラム、および記憶媒体に関する。
【背景技術】
【０００２】
従来、電話を着信した際に、発信者を特定しやすくするために、発着信履歴に関する情報を通知する通信装置が従来技術として知られている（例えば、特許文献１参照）。
【先行技術文献】
【特許文献】
【０００３】
【特許文献１】特開２０１３−５１５８１号公報（２０１３年３月１４日公開）
【発明の概要】
【発明が解決しようとする課題】
【０００４】
しかしながら、上述した特許文献１の技術では、情報が利用者にとって理解し易い形態で通知されるとは限らず、また、かえって通信装置が着信を受けていること自体をユーザが認識しにくくなるという問題がある。
【０００５】
本発明は、上述した問題に鑑みてなされたものであり、ユーザが着信を受けていることを認識しやすく、且つ、着信履歴に関する情報を認識しやすい通信装置、通信装置の制御方法、通信装置としてコンピュータを機能させるためのプログラム、および記憶媒体を実現することを目的とする。
【課題を解決するための手段】
【０００６】
上記の課題を解決するために、本発明に係る通信装置は、着信を受け付ける受信部と、出力部と、上記受信部が着信を受け付けた場合に、着信音に重畳して、当該着信の発信元からの着信履歴に関するメッセージを出力するよう上記出力部を制御する制御部とを備えていることを特徴とする。
【０００７】
上記の課題を解決するために、本発明に係る通信装置の制御方法は、着信を受け付ける受信部と、出力部と、を備えた通信装置の制御方法であって、上記受信部が着信を受け付けた場合に、着信音に重畳して、当該着信の発信元からの着信履歴に関するメッセージを出力する出力ステップを含んでいることを特徴とする。
【発明の効果】
【０００８】
本発明によれば、着信音によって着信を受けていることをユーザが認識しやすく、且つ、着信履歴に関する情報を認識しやすいという効果を奏する。
【図面の簡単な説明】
【０００９】
【図１】本実施形態に係る通信装置の要部構成を示すブロック図である。
【図２】上記通信装置の概要を説明するための図であり、（ａ）は固定通信装置の概要を示し、（ｂ）は携帯型通信装置の概要を示す図である。
【図３】着信履歴データを示す図である。
【図４】個人情報データを示す図である。
【図５】スケジュールデータを示す図である。
【図６】着信履歴に関するメッセージを出力する処理を説明するためのフローチャートである。
【図７】発信元に関する情報を含めたメッセージを出力する処理を説明するためのフローチャートである。
【発明を実施するための形態】
【００１０】
〔概要〕
以下、本発明の実施の形態について図１〜図７を参照して詳細に説明する。まず、図２を参照して本実施形態の概要について説明する。図２は、本実施形態に係る通信装置１の概要を説明するための図である。図２の（ａ）は通信装置１が固定通信装置である態様を例示する図であり、図２の（ｂ）は通信装置１が携帯型通信装置である態様を例示する図である。
【００１１】
本実施形態に係る通信装置１は、着信音として、着信中に、ＣＩ信号と同期する着信音を出力することが可能なものである。さらに、通信装置１は、ＴＴＳ（Ｔｅｘｔ  ｔｏ  Ｓｐｅｅｃｈ）機能を有し、着信の発信元の情報を音声で出力可能なものである。また、通信装置１は、着信の発信元の情報をテキストや画像として出力する構成であってもよい。着信の発信元の情報を音声で出力する際に、通信装置１は、着信音の音量を低減する構成であってもよいし、低減しない構成であってもよい。また、通信装置１は、着信音として、着信中に、ＣＩ信号と同期しない着信音を出力可能な構成であってもよい。
【００１２】
なお、本実施形態では、固定電話機や携帯電話機などの通信装置を例に挙げて説明するが、本発明は電話機に限られるものではなく、ファクシミリ装置であってもよい。また、外部装置からの着信を受け付け、その旨を報知する通信装置であればどのようなものであってもよい。
【００１３】
〔通信装置１の構成〕
次に、図１を参照して通信装置１について説明する。図１は、通信装置１の要部構成を示すブロック図である。図１に示すように、通信装置１は、制御部１０、記憶部２０、出力部３０、および音声入出力部４０を含む。
【００１４】
制御部１０は、通信装置１における着信音の出力を制御する他、通信装置１における各種処理を統括して制御するものであり、ＣＩ信号取得部１１（受信部）および出力制御部１２を含む。なお、制御部１０のＣＩ信号取得部１１、出力制御部１２などの機能は、例えばＣＰＵが、ＲＯＭに記憶されているプログラムをＲＡＭに読み出して実行することで実現することができる。なお、通信装置１の通信装置能については、公知技術を用いて実行可能であるので、その説明は省略する。
【００１５】
ＣＩ信号取得部１１は、着信を示す呼出信号であるＣＩ信号を取得し、ＣＩ信号のＯＮおよびＯＦＦを出力制御部１２に通知する。
【００１６】
出力制御部１２は出力情報生成部１３と、出力音声制御部１４とを備えている。出力制御部１２は、出力情報生成部１３の機能により、通信装置１が着信を受けた際に、出力する着信の発信元に係る情報を生成する。また、出力制御部１２は、出力音声制御部１４の機能により、通信装置１が着信を受けた際に、着信音と、着信の発信元に係る情報との出力を制御する。
【００１７】
出力情報生成部１３は、記憶部２０に格納されている着信履歴データ２１、個人情報データ２２、スケジュールデータ２３、局番データ２４などの種々のデータを用いて、着信の発信元に係る情報を生成する。出力情報生成部１３は、発信元の情報を取得して、発信元の情報に対応付けられた情報、例えば、発信者の名前や着信履歴に関する情報を生成する。なお、発信元の情報の取得は、公知技術で可能であるので、その説明は省略する。
【００１８】
出力音声制御部１４は、着信音の出力を制御するとともに、出力情報生成部１３の機能により生成された着信の発信元に係る情報のテキスト音声出力を行う。
【００１９】
記憶部２０は、通信装置１で用いる各種データ等を格納するものである。記憶部２０は、例えば、内容の書き換えが可能な不揮発性メモリである、ＥＰＲＯＭ、ＥＥＰＲＯＭ（登録商標）、フラッシュメモリなどで実現される。記憶部２０は、着信履歴データ２１、個人情報データ２２、スケジュールデータ２３、局番データ２４などのデータを記憶している。これらのデータは例えば、テキストデータとして記憶部２０に格納されている。
【００２０】
記憶部２０が記憶しているこれらのデータはＴＴＳデータとしても用いられ、出力部３０から出力可能に記憶されている。
【００２１】
着信履歴データ２１は、通信装置１の着信履歴を含むデータである。着信履歴データ２１は、例えば、図３に示すように、通し番号、着信の時刻、着信の発信元の電話番号、着信への応答の有無に関する情報が互いに対応付けられて記憶されている。
【００２２】
個人情報データ２２は、電話番号と、当該電話番号に関連付けられた個人を特定する情報とを含むデータである。個人情報データ２２は、例えば、図４に示すように、電話番号、名前、所属などに関する情報が互いに対応付けて記憶されている。
【００２３】
スケジュールデータ２３は、個人を特定する個人情報と、当該個人に関連付けられたスケジュール情報とを含むデータである。スケジュールデータ２３は、例えば、図５に示すように、名前と、当該名前に対応する予定の日時と、予定内容を示すイベントの情報とが互いに対応づけられて構成されている。
【００２４】
また、図示は省略するが、局番データ２４は、局番と、当該局番に関連付けられたエリアや市区町村の情報を含むデータである。
【００２５】
図３〜図５に示すように、個人情報データ２２は、例えば、電話番号によって着信履歴データ２１に対応づけられ、スケジュールデータ２３は、例えば、名前によって個人情報データ２２に対応づけられている。このように、記憶部２０に記憶されている種々のデータはそれぞれが互いに対応付けられている。出力制御部１２は、着信の発信元の電話番号に基づいて、これらのデータから、様々な情報を取得することができるように構成されている。
【００２６】
出力部３０は、出力制御部１２の制御に従い着信音および着信の発信元に係る情報を出力するものである。出力部３０は、例えばスピーカとディスプレイとを備えている。出力部３０のディスプレイには、液晶ディスプレイやＥＬディスプレイを好適に用いることができる。
【００２７】
音声入出力部４０は、通話中の相手方の音声を出力するとともに、ユーザの音声の入力を受け付けるものであり、例えば受話器である。
【００２８】
〔出力制御部１２及び出力情報生成部１３の処理の例〕
以下では、出力制御部１２による制御例、及び出力情報生成部１３によるメッセージ処理例についてより具体的に説明する。
【００２９】
出力制御部１２及び出力情報生成部１３は、以下に例示する処理例１〜６のうち、少なくとも何れか、または、それらの組み合わせた動作を行うように構成されている。
【００３０】
（処理例１）
本例に係る出力制御部１２は、通信装置１が着信を受けた場合に、発信元の電話番号に基づいて、記憶部２０に記憶された着信履歴データ２１を参照して、当該着信の発信元から過去に不在着信があったか否かを判定する。
【００３１】
また、本例に係る出力情報生成部１３は、当該着信の発信元から過去に不在着信があったか否かに応じた情報を、出力用メッセージに含める。例えば、出力情報生成部１３は、出力制御部１２の制御に基づいて、着信の発信元からの不在着信の情報に係る出力用メッセージとして、「○○さんから過去にも不在着信がありましたよ」などの表現を含むメッセージを生成する。
【００３２】
（処理例２）
本例に係る出力制御部１２は、電話番号などの着信の発信元の情報に基づいて、記憶部２０に記憶された着信履歴データ２１を参照して、着信の発信元からの不在着信の件数を取得する。
【００３３】
また、本例に係る出力情報生成部１３は、当該着信の発信元からの不在着信の件数に応じた情報を、出力用メッセージに含める。例えば、出力情報生成部１３は、出力制御部１２の制御に基づいて、着信の発信元からの不在着信の情報に係る出力用メッセージとして、「○○さんから３件の不在着信がありましたよ」などの表現を含むメッセージを生成する。
【００３４】
また、出力情報生成部１３は、予め設定されている所定期間内（例えば４８時間）における着信の発信元からの不在着信の件数に応じた情報を、出力用メッセージに含める。例えば、予め設定されている所定期間が４８時間の場合には、出力情報生成部１３は、出力制御部１２の制御に基づいて、着信の発信元からの不在着信の情報に係る出力用メッセージとして、「○○さんから過去４８時間で３件の不在着信がありましたよ」といったメッセージを生成する構成であってもよい。なお、ユーザが不在着信の件数を通知する期間を任意に設定可能な構成であってもよい。
【００３５】
（処理例３）
本例に係る出力制御部１２は、着信履歴データ２１に記憶された過去の不在着信の着信日時を参照し、当該着信日時に応じて出力情報生成部１３を制御する。本例に係る出力情報生成部１３は、当該着信の発信元からの不在着信の着信日時に応じた情報を、出力用メッセージに含める。例えば、出力情報生成部１３は、出力制御部１２の制御に基づいて、着信の発信元からの不在着信の情報に係る出力用メッセージとして、「○○さんから本日１５：００に不在着信がありましたよ」などの表現を含むメッセージを生成する。
【００３６】
また、本例に係る出力制御部１２は、通信装置１が着信を受けた場合に、発信元の電話番号に基づいて、記憶部２０に記憶された着信履歴データ２１を参照して、当該着信の発信元から過去に既着信があったか否かを判定することができる。なお、既着信とは、過去に着信を受け付けた、つまり応答したことのある発信元からの着信のことを示すものである。出力制御部１２は、着信履歴データ２１を参照して、電話番号などの着信の発信元の情報と、当該発信元からの着信への応答の有無とのデータに基づいて、着信の発信元から既着信があったか否かを判定することができる。また、出力制御部１２は、既着信の着信日時と現在日時とに基づいて前回の既着信が昨日か否かを判定することができる。
【００３７】
本例に係る出力情報生成部１３は、出力制御部１２の制御に基づいて、「昨日も電話をくれましたね」等の出力用のメッセージを生成することができる。
【００３８】
（処理例４）
本例に係る出力制御部１２は、着信履歴データ２１に記憶された過去の着信の発信元からの不在着信の日時と、現在日時との差分をとって、この差分が所定の時間間隔より短いか否かを判定する。
【００３９】
出力制御部１２は、差分が所定の時間間隔より短いか否かに応じた制御を、出力情報生成部１３に対して行う。
【００４０】
本例に係る出力情報生成部１３は、上記差分が所定の時間間隔より短い場合、出力制御部１２の制御に応じて、急ぎの電話である旨の出力用メッセージを生成する。出力情報生成部１３は、例えば、「急ぎの電話かな」等の出力用のメッセージを生成する。
【００４１】
また、本例に係る出力制御部１２は、出力制御部１２は、既着信の着信日時と現在日時とに基づいて前回の既着信からの期間を検出して、例えば、前回の既着信が一か月以上前か否かを判定することができる。
【００４２】
本例に係る出力情報生成部１３は、前回の既着信が一か月以上前である場合、出力制御部１２の制御に基づいて、久しぶりの電話である旨の出力用のメッセージを生成する。出力情報生成部１３は、例えば、「久しぶりの電話ですね」等の出力用のメッセージを生成することができる。
【００４３】
（処理例５）
本例に係る出力制御部１２は、着信の発信元の電話番号に基づいて、当該電話番号が個人情報データ２２に記憶されているか否かを判定することができる。また、出力制御部１２は、着信の発信元の電話番号が個人情報データ２２に記憶されている場合には、当該電話番号に関連付けられた名前と所属とを取得することができる。
【００４４】
本例に係る出力情報生成部１３は、出力制御部１２の制御に基づいて、着信の発信元の電話番号に対応づけられた発信元の名前や所属に関する情報を出力用メッセージに含める。出力情報生成部１３は、例えば、「○○会社の○○さんからの電話です」等の出力用メッセージを生成することができる。
【００４５】
（処理例６）
本例に係る出力制御部１２は、着信の発信元の電話番号に関連付けられた名前に基づいてスケジュールデータ２３を参照して、当該名前に関連付けられたスケジュールは登録されているか否かを判定することができる。
【００４６】
本例に係る出力情報生成部１３は、出力制御部１２の制御に基づいて、着信の発信元に関連づけられたスケジュールに関する情報を通知する。出力情報生成部１３は、例えば、「明日の予定についてかもね」、「いい知らせだといいね」などの出力用メッセージを生成することができる。
【００４７】
なお、上述した処理例１〜６において、出力情報生成部１３は、予め記憶部２０に記憶されている不図示のメッセージ集の中から適宜なメッセージを選択して、出力用のメッセージを生成する構成であってもよい。
【００４８】
〔通信装置１における処理の流れ〕
次に、図６、７を参照して、通信装置１における着信を受けた場合の処理について説明する。図６、７は、通信装置１における着信を受けた場合の処理の流れを示すフローチャートである。
【００４９】
〔着信履歴に関する情報を出力する処理の流れ〕
まず、図６を参照して、着信履歴に関する情報を出力する処理の流れについて説明する。
【００５０】
（ステップＳ１０１）
ステップＳ１０１にて、通信装置１が着信を受ける。より具体的にはＣＩ信号取得部１１が着信を示す呼出信号であるＣＩ信号を取得する。
【００５１】
（ステップＳ１０２）
続いて、出力制御部１２が、着信の発信元からの不在着信が過去にあったか否かを判定する。着信の発信元からの不在着信が過去にあった場合、ステップＳ１０３に進み、そうでない場合、ステップＳ１０８に進む。
【００５２】
（ステップＳ１０３）
出力制御部１２が、着信の発信元から不在着信があったと判定した場合（Ｓ１０２でＹＥＳ）、続いて出力制御部１２は、当該着信の発信元からの過去の不在着信の件数を取得する。
【００５３】
（ステップＳ１０４）
続いて、出力制御部１２は、着信の発信元から不在着信があった旨を通知することを出力情報生成部１３の機能により記憶する。
【００５４】
（ステップＳ１０５）
次に、出力制御部１２は、着信履歴データ２１を参照して、着信の発信元からの不在着信の時刻データを取得する。
【００５５】
（ステップＳ１０６）
出力制御部１２は、当該発信元からの前回の着信からの時間が、予め設定された所定の時間間隔より短いか否かを判定する。出力制御部１２は、着信履歴データ２１に記憶された過去の着信の発信元からの不在着信の日時と、現在日時との差分をとって、この差分が所定の時間間隔より短いか否かを判定する。当該差分が所定の時間間隔より短い場合（Ｓ１０６でＹＥＳ）、ステップＳ１０７に進み、そうでない場合、ステップＳ１０８に進む。なお、通信装置１の計時機能については、公知技術を用いて実行可能であるので、その説明は省略する。
【００５６】
（ステップＳ１０７）
出力制御部１２は、前回の着信からの時間が所定の時間間隔より短いと判定した場合（Ｓ１０６でＹＥＳ）、受けた着信が急ぎで電話である旨の通知をすることを出力情報生成部１３の機能により記憶する。出力情報生成部１３は、受けた着信が急ぎで電話である旨の通知をすることが記憶されていた場合、「急ぎの電話かな」等の出力用のメッセージを生成する構成であってもよい。
【００５７】
（ステップＳ１０８）
ステップＳ１０８にて、出力制御部１２は、着信の発信元から既着信があったか否かを判定する。着信の発信元から既着信があった場合、ステップＳ１０９に進み、そうでない場合、ステップＳ１１４に進む。
【００５８】
（ステップＳ１０９）
出力制御部１２は、着信の発信元から既着信があったと判定した場合（Ｓ１０８でＹＥＳ）、続いて、着信履歴データ２１を参照して、既着信の着信日時を取得する。
【００５９】
（ステップＳ１１０）
そして、出力制御部１２は、既着信の着信日時と現在日時とに基づいて前回の既着信は昨日か否かを判定する。
【００６０】
（ステップＳ１１１）
出力制御部１２は、前回の既着信は昨日であると判定した場合（Ｓ１１０でＹＥＳ）、昨日既着信があった旨の通知をすることを出力情報生成部１３の機能により記憶する。出力情報生成部１３は、昨日既着信があった旨の通知をすることが記憶されていた場合、「昨日も電話をくれました」等の出力用のメッセージを生成する構成であってもよい。
【００６１】
（ステップＳ１１２）
また、出力制御部１２は、前回の既着信は昨日ではないと判定した場合（Ｓ１１０でＮＯ）、続いて、過去の既着信の着信日時に基づいて前回の既着信は一か月以上前か否かを判定する。前回の既着信が一か月以上前である場合、ステップＳ１１３に進み、そうでない場合、ステップＳ１１４に進む。
【００６２】
（ステップＳ１１３）
出力制御部１２は、Ｓ１０９で取得した既着信の着信日時と現在日時との差分が所定の時間間隔以上であるか否かに基づいて、前回の既着信は一か月以上前であると判定した場合（Ｓ１１２でＹＥＳ）、久しぶりの電話である旨の通知をすることを出力情報生成部１３の機能により記憶して、ステップＳ１１４に進む。出力情報生成部１３は、久しぶりの電話である旨の通知をすることが記憶されていた場合、「久しぶりの電話ですね」等の出力用のメッセージを生成する構成であってもよい。
【００６３】
（ステップＳ１１４）
ステップＳ１１４にて、出力制御部１２は、出力部３０を制御して着信音を出力する。
【００６４】
出力制御部１２は、出力部３０を制御して着信音を出力する際、予め設定されている所定の音量で出力部３０から着信音を出力させる。
【００６５】
（ステップＳ１１５）
続いて出力制御部１２は、出力部３０から出力させる着信音を低減するとともに、音量低減後の着信音に重畳して、出力情報生成部１３で生成された着信の発信元からの着信履歴に関するメッセージを出力部３０から出力する。
【００６６】
出力制御部１２は、着信音に着信の発信元からの着信履歴に関するメッセージを重畳させて出力する場合、着信音をユーザが認識することができ、且つ、着信の発信元に係る情報の通知を妨げない程度の音量に低減するのが望ましい。出力制御部１２は、上記メッセージを出力部３０から音声ガイダンスおよび／またはディスプレイ表示の態様で出力する（図２参照）。
【００６７】
なお、ステップＳ１１５において着信音の低減は必須ではない。例えば、着信音が予め低い音量に設定されていた場合には、着信音に重畳させて出力する着信履歴に関するメッセージの音量を上げてもよい。また、着信音に重畳させて、着信履歴に関するメッセージをテキストや画像で出力して表示する場合には、着信音を低減させる必要はない。
【００６８】
ここで、出力部３０が出力するメッセージは、着信の発信元から受け付けた過去の不在着信の件数を示す情報を含んでもよい。着信の発信元から受け付けた過去の不在着信の件数が３件である場合には、出力部３０が出力するメッセージには、例えば、「○○さんから不在着信が３件来ていますよ」などのメッセージが含まれる。
【００６９】
また、出力部３０が出力するメッセージは、着信の発信元から受け付けた過去の着信の日時に応じた情報を含んでもよい。着信の発信元から受け付けた過去の着信の日時が２０１７年４月７日１０時５０分である場合には、出力部３０が出力するメッセージには、例えば、「○○さんから２０１７年４月７日１０時５０分に不在着信が来ていますよ」などのメッセージが含まれる。
【００７０】
また、出力部３０が出力するメッセージは、着信の発信元から受け付けた過去の不在着信の着信日時と現在日時との差分が所定の時間間隔より短い場合に、急ぎの電話である旨の情報を含んでもよい。着信の発信元から受け付けた過去の不在着信の着信日時と現在日時との差分が所定の時間間隔より短い場合には、出力部３０が出力するメッセージには、例えば、「急ぎの電話のようですよ」などのメッセージが含まれる。
【００７１】
また、出力部３０が出力するメッセージは、着信の発信元から受け付けた過去の着信の着信日に関する情報を含んでもよい。発信元から昨日着信を受け付けていた場合には、出力部３０が出力するメッセージには、例えば、「昨日もお電話をくれましたね」などのメッセージが含まれる。
【００７２】
また、出力部３０が出力するメッセージは、着信の発信元から受け付けた過去の着信の着信日時と現在日時との差分が所定の時間間隔以上である場合に、久しぶりの電話である旨の情報を含んでもよい。着信の発信元から受け付けた過去の着信が久しぶりの電話である場合には、出力部３０が出力するメッセージには、例えば、「久しぶりの電話ですね」などのメッセージが含まれる。
【００７３】
このように、通信装置１は、音量低減後の着信音の出力に重畳させて、ＴＴＳ機能によるテキスト音声出力を行うように構成されている。着信音の出力中に、テキスト音声出力を行う際には、従来であれば、着信音は出力されない態様であった。これに対して、通信装置１は、着信音とテキスト音声出力とを重ねて出力する際には、着信音の音量を低減して、テキスト音声出力を聞き取り易くする機能を有している。
【００７４】
これにより、従来では、テキスト音声出力中は着信音の出力が停止されることで、通信装置１が着信中であることをユーザが認識しにくかったものを、着信音によって着信を受けていることをユーザ認識しやすく、且つ、テキスト音声を聞き取り易くすることができる。
【００７５】
〔着信履歴以外の情報を出力する処理の流れ〕
次に、図７を参照して、着信履以外の着信の発信元に関する情報を出力する処理の流れについて説明する。
【００７６】
（ステップＳ２０１）
ステップＳ２０１にて、通信装置１は、着信を受ける。より具体的にはＣＩ信号取得部１１が着信を示す呼出信号であるＣＩ信号を取得する。
【００７７】
（ステップＳ２０２）
続いて、出力制御部１２が、着信の発信元の電話番号が通信装置１に登録されているか否かを判定する。より具体的には、出力制御部１２は、記憶部２０に記憶された個人情報データ２２に着信の発信元の電話番号が記憶されているか否かを判定する。着信の発信元の電話番号が登録されていた場合（Ｓ２０２でＹＥＳ）、ステップＳ２０３に進み、そうでない場合（Ｓ２０２でＮＯ）、ステップＳ２０７に進む。
【００７８】
（ステップＳ２０３）
出力制御部１２が、着信の発信元の電話番号が通信装置１に登録されていると判定した場合（Ｓ２０２でＹＥＳ）、続いて出力制御部１２は、着信の発信元の電話番号に関連付けられた名前と所属とを取得する。
【００７９】
（ステップＳ２０４）
続いて、出力制御部１２は、取得した所属に応じた通知をすることを出力情報生成部１３の機能により記憶する。出力情報生成部１３は、所属に応じた通知をすることが記憶されていた場合、所属に基づいて、例えば、「お友達からの電話です」や「○○会社様からの電話です」のように所属に応じた情報をメッセージに含めるように構成されている。
【００８０】
（ステップＳ２０５）
次に、出力制御部１２は、ステップＳ２０３で取得した着信の発信元の名前に基づいてスケジュールデータ２３を参照して、当該名前に関連付けられたスケジュールは登録されているか否かを判定する。
【００８１】
（ステップ２０６）
出力制御部１２が、着信の発信元の名前に関連づけられたスケジュールが登録されていると判定した場合（Ｓ２０５でＹＥＳ）、続いて出力制御部１２は、スケジュールに応じた通知をすることを出力情報生成部１３の機能により記憶する。出力情報生成部１３は、スケジュールに応じた通知をすることが記憶されていた場合、スケジュールに基づいて、例えば、「明日の予定についてかもね」、「いい知らせだといいね」などの出力用のメッセージを生成する構成であってもよい。
【００８２】
（ステップＳ２０７）
ステップＳ２０７にて、出力制御部１２は、次のいずれかの制御ステップの後に、出力部３０を制御して着信音を出力する。着信の発信元の電話番号が通信装置１に登録されていないと判定した場合（Ｓ２０２でＮＯ）。名前に関連づけられたスケジュールが登録されていないと判定した場合（Ｓ２０５でＮＯ）。または、スケジュールに応じた通知をすることを記憶した後。
【００８３】
出力制御部１２は、出力部３０を制御して着信音を出力する際、予め設定されている所定の音量で出力部３０から着信音を出力させる。
【００８４】
（ステップＳ２０８）
続いて出力制御部１２は、出力部３０から出力させる着信音を低減するとともに、着信音に重畳して、出力情報生成部１３に通知することを記憶した、着信の発信元に係る情報を出力部３０から出力する。出力制御部１２は、着信音に着信の発信元に係る情報を重畳させて出力する場合、着信音をユーザが認識することができ、且つ、着信の発信元に係る情報の通知を妨げない程度の音量に低減するのが望ましい。出力制御部１２は、これらの情報を出力部３０から音声ガイダンスおよび／またはディスプレイ表示の態様でメッセージを出力する（図２参照）。
【００８５】
ここで、出力部３０が出力するメッセージは、発信元の所属に関する情報を参照し、所属に応じた情報を含んでもよい。発信元の所属が家族である場合には、出力部３０が出力するメッセージには、例えば、「ご家族の方からの電話です」などのメッセージが含まれる。
【００８６】
また、出力部３０が出力するメッセージは、着信の発信元に関連付けられたスケジュールに関する情報を含んでもよい。着信の発信元を示す情報が含まれていたスケジュールデータに、明日の待ち合わせの約束が含まれていた場合、例えば、「明日の予定についてかもしれませんね」などのメッセージが含まれる。
【００８７】
また、出力部３０が出力するメッセージは、発信元の地域に関する情報を含んでもよい。発信元の電話番号の局番が０３だった場合には、出力部３０が出力するメッセージには、例えば、「東京２３区からのお電話です」などのメッセージが含まれる。
【００８８】
〔付記事項〕
なお、図６、７を用いて、着信履歴の情報を出力する場合と、着信履歴以外の情報を出力する場合とを分けて説明したが、これらの処理を同時に行って、着信履歴の情報と、着信履歴以外の情報である着信の発信元に係る名前、所属、スケジュールなどの情報とを共に出力可能であることは言うまでもない。
【００８９】
また、上述の実施形態では、着信履歴データ２１、個人情報データ２２、スケジュールデータ２３、局番データ２４が通信装置１の記憶部２０に記憶されている構成であった。しかしながら、通信装置１は、電話網５又は他のネットワークを通じて、サーバにアクセス可能に構成され、着信履歴データ２１、個人情報データ２２、スケジュールデータ２３、局番データ２４の少なくとも一部が、当該サーバにおいて管理されていてもよい。そして、通信装置１は、制御部１０が着信履歴データ２１、個人情報データ２２、スケジュールデータ２３、局番データ２４の少なくとも一部を当該サーバから取得する構成としてもよい。
【００９０】
また、図示は省略するが、着信の発信元の電話番号に基づいて局番データ２４を参照して、発信元の地域を特定し、特定した地域に関する情報を、着信履歴、名前、所属、スケジュールなどの情報に含めて出力する構成であってもよい。
【００９１】
〔ソフトウェアによる実現例〕
通信装置１の制御部１０（特にＣＩ信号取得部１１、出力制御部１２、出力情報生成部１３および出力音声制御部１４）は、集積回路（ＩＣチップ）等に形成された論理回路（ハードウェア）によって実現してもよいし、ＣＰＵ（Ｃｅｎｔｒａｌ  Ｐｒｏｃｅｓｓｉｎｇ  Ｕｎｉｔ）を用いてソフトウェアによって実現してもよい。
【００９２】
後者の場合、通信装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Ｒｅａｄ  Ｏｎｌｙ  Ｍｅｍｏｒｙ）または記憶装置（これらを「記録媒体」と称する）、上記プログラムを展開するＲＡＭ（Ｒａｎｄｏｍ  Ａｃｃｅｓｓ  Ｍｅｍｏｒｙ）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９３】
〔まとめ〕
本発明の態様１に係る通信装置１は、着信を受け付けるＣＩ信号取得部１１と、出力部３０と、ＣＩ信号取得部１１が着信を受け付けた場合に、着信音に重畳して、当該着信の発信元からの着信履歴に関するメッセージを出力するよう出力部３０を制御する出力制御部１２とを備えている。
【００９４】
上記の構成によれば、着信音によって着信を受けていることをユーザが認識しやすく、且つ、着信履歴に関するメッセージを認識しやすいという効果を奏する。
【００９５】
本発明の態様２に係る通信装置１は、上記態様１において、出力制御部１２は、着信音の音量を低減し、音量低減後の着信音に重畳して、上記メッセージを出力するよう出力部３０を制御する構成としてもよい。
【００９６】
上記の構成によれば、着信音によって着信を受けていることをユーザが認識しやすく、且つ、着信音によってメッセージの出力が妨げられることがなく、着信履歴に関するメッセージを認識しやすいという効果を奏する。
【００９７】
本発明の態様３に係る通信装置１は、上記態様１又は２において、出力制御部１２は、上記着信の発信元から受け付けた過去の不在着信の件数を特定し、当該件数を示す情報を上記メッセージに含める構成としても良い。
【００９８】
上記の構成によれば、着信の発信元から受け付けた過去の不在着信の件数をユーザにとって理解し易い形態で通知することができる。
【００９９】
本発明の態様４に係る通信装置１は、上記態様１から３において出力制御部１２は、上記着信の発信元から受け付けた過去の着信の着信日時を参照し、当該着信日時に応じた情報を上記メッセージに含める構成としてもよい。
【０１００】
上記の構成によれば、着信履歴に関するメッセージに着信日時に応じた情報が含まれるため、着信履歴に関するメッセージをユーザにとって理解し易い形態で通知することができる。
【０１０１】
本発明の態様５に係る通信装置１は、上記態様４において、出力制御部１２は、上記着信の発信元から受け付けた過去の不在着信の着信日時と現在日時との差分が所定の時間間隔より短い場合に、急ぎの電話である旨の情報を上記メッセージに含める構成としてもよい。
【０１０２】
上記の構成によれば、着信履歴間の時間間隔が短い場合に、着信履歴に関するメッセージに急ぎの電話である旨の情報が含まれるため、着信履歴に関するメッセージをユーザにとって理解し易い形態で通知することができる。
【０１０３】
本発明の態様６に係る通信装置１は、上記態様４において、出力制御部１２は、上記着信の発信元から受け付けた過去の着信の着信日に関する情報を上記メッセージに含める構成としてもよい。
【０１０４】
上記の構成によれば、ユーザは過去にいつ着信を受け付けた相手からの電話なのかを知ることができる。よって、着信履歴に関するメッセージをユーザにとって理解し易い形態で通知することができる。
【０１０５】
本発明の態様７に係る通信装置１は、上記態様４において、出力制御部１２は、上記着信の発信元から受け付けた過去の着信の着信日時と現在日時との差分が所定の時間間隔以上である場合に、久しぶりの電話である旨の情報を上記メッセージに含める構成としてもよい。
【０１０６】
上記の構成によれば、ユーザは久しぶりに着信を受ける相手からの電話であるという情報を知ることができる。よって、着信履歴に関するメッセージをユーザにとって理解し易い形態で通知することができる。
【０１０７】
本発明の態様８に係る通信装置１は、上記態様１から７において、出力制御部１２は、上記着信の発信元の所属に関する情報を参照し、当該所属に応じた情報を上記メッセージに含める構成としてもよい。
【０１０８】
上記の構成によれば、ユーザは着信履歴に関する情報に加えて、発信元の所属に応じた情報を得ることができる。よって、着信の発信元に係る情報をユーザにとって理解し易い形態で通知することができる。
【０１０９】
本発明の態様９に係る通信装置１は、上記態様１から８において、出力制御部１２は、スケジュールデータを参照し、当該スケジュールデータに、上記着信の発信元を示す情報が含まれていた場合、当該発信元に関連付けられたスケジュールに関する情報を、上記メッセージに含める構成としてもよい。
【０１１０】
上記の構成によれば、ユーザは着信履歴に関する情報に加えて、発信元に関連付けられたスケジュールに関する情報を知ることができる。よって、着信の発信元に係る情報をユーザにとって理解し易い形態で通知することができる。
【０１１１】
本発明の態様１０に係る通信装置１は、上記態様１から９において、出力制御部１２は、上記着信の発信元の電話番号を参照して当該発信元の地域を特定し、特定した地域に関する情報を上記メッセージに含める構成としてもよい。
【０１１２】
上記の構成によれば、ユーザは、発信元の地域に関する情報をしることができる。よって、着信の発信元に係る情報をユーザにとって理解し易い形態で通知することができる。
【０１１３】
本発明の各態様に係る通信装置１は、コンピュータによって実現してもよく、この場合には、コンピュータを上記通信装置１が備える各部（ソフトウェア要素）として動作させることにより上記通信装置１をコンピュータにて実現させる通信装置１の制御方法、プログラム、およびそれを記録したコンピュータ読み取り可能な記録媒体も、本発明の範疇に入る。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１５】
１  通信装置
５  電話網
１０  制御部
１１  ＣＩ信号取得部（受信部）
１２  出力制御部（制御部）
１３  出力情報生成部
１４  出力音声制御部
２０  記憶部
２１  着信履歴データ
２２  個人情報データ
２３  スケジュールデータ
２４  局番データ
３０  出力部
４０  音声入出力部
【図１】
2018182668.tif 000003
【図２】
2018182668.tif 000004
【図３】
2018182668.tif 000005
【図４】
2018182668.tif 000006
【図５】
2018182668.tif 000007
【図６】
2018182668.tif 000008
【図７】
2018182668.tif 000009